(57)【要約】【課題】摩擦操作時に安定して把持でき、容易な熱変色が可能となる熱変色性筆記具を提供する。【解決手段】熱変色性筆記具１は内部に熱変色性インキが収容された軸筒２を備える。軸筒２の前端に、熱変色性インキが吐出可能なペン先２１が設けられる。軸筒２の後端部に、熱変色性インキの筆跡を摩擦しその際に生じる摩擦熱で熱変色性インキの筆跡を熱変色可能な摩擦部４が設けられる。軸筒２の摩擦部４近傍外面に摩擦操作時に把持可能な滑り止め把持部５が設けられる。滑り止め把持部５が前後方向に分散配置される複数の凹部５１または複数の凸部５１を備える。滑り止め把持部５が弾性材料よりなる。滑り止め把持部５の外面に前後方向にわたり窪み部５２が形成される。【選択図】  図３
2020001193.tif 000002
【特許請求の範囲】
【請求項１】
軸筒の内部に熱変色性インキを収容し、前記軸筒の前端に前記熱変色性インキが吐出可能なペン先を設け、前記軸筒の後端部に、前記熱変色性インキの筆跡を摩擦しその際に生じる摩擦熱で前記熱変色性インキの筆跡を熱変色可能な摩擦部を設けた熱変色性筆記具であって、
前記軸筒の摩擦部近傍外面に摩擦操作時に把持可能な滑り止め把持部を設けたことを特徴とする熱変色性筆記具。
【請求項２】
前記滑り止め把持部が前後方向に分散配置される複数の凹部または複数の凸部を備える請求項１に記載の熱変色性筆記具。
【請求項３】
前記滑り止め把持部が弾性材料よりなる請求項１または２に記載の熱変色性筆記具。
【請求項４】
前記滑り止め把持部の外面に前後方向にわたり窪み部が形成される請求項１乃至３の何れかに記載の熱変色性筆記具。
【請求項５】
熱変色性インキを内蔵した筆記体が前後方向に移動可能に軸筒内に収容され、前記筆記体の前端に前記熱変色性インキが吐出可能なペン先を備え、前記軸筒の後端近傍の側壁外面に操作部が径方向外方に突出され、前記操作部が前後方向に移動可能に設けられ、前記操作部を前方に押圧操作することにより前記軸筒前端より筆記体のペン先が出没自在に構成され、前記軸筒の後端部に、前記熱変色性インキの筆跡を摩擦しその際に生じる摩擦熱で前記熱変色性インキの筆跡を熱変色可能な摩擦部を設けた熱変色性筆記具であって、
前記軸筒外面の、操作部を径方向に跨ぐ位置に、摩擦操作時に把持可能な滑り止め把持部を設けたことを特徴とする熱変色性筆記具。
【請求項６】
前記滑り止め把持部が前後方向に分散配置される複数の凹部または複数の凸部を備える請求項５に記載の熱変色性筆記具。
【請求項７】
前記滑り止め把持部が弾性材料よりなる請求項５または６に記載の熱変色性筆記具。
【請求項８】
前記滑り止め把持部の外面に前後方向にわたり窪み部が形成される請求項５乃至７の何れかに記載の熱変色性筆記具。
【請求項９】
軸筒の内部に熱変色性インキを収容し、前記軸筒の前端に前記熱変色性インキが吐出可能なペン先を設け、前記軸筒のペン先側に着脱自在に装着可能なキャップを備え、前記キャップの頂部に、前記熱変色性インキの筆跡を摩擦しその際に生じる摩擦熱で前記熱変色性インキの筆跡を熱変色可能な摩擦部を設けた熱変色性筆記具であって、
前記キャップの摩擦部近傍外面に摩擦操作時に把持可能な滑り止め把持部を設けたことを特徴とする熱変色性筆記具。
【請求項１０】
前記滑り止め把持部が前後方向に分散配置される複数の凹部または複数の凸部を備える請求項９に記載の熱変色性筆記具。
【請求項１１】
前記滑り止め把持部が弾性材料よりなる請求項９または１０に記載の熱変色性筆記具。
【請求項１２】
前記滑り止め把持部の外面に前後方向にわたり窪み部が形成される請求項９乃至１１の何れかに記載の熱変色性筆記具。
【発明の詳細な説明】
【技術分野】
【０００１】
本発明は、熱変色性筆記具に関する。詳細には、熱変色性インキの筆跡を摩擦しその際に生じる摩擦熱で前記熱変色性インキの筆跡を熱変色可能な摩擦部を備えた熱変色性筆記具に関する。
【背景技術】
【０００２】
従来、熱変色性筆記具において、例えば、特許文献１には、キャップの頂部や軸胴の後端に摩擦体を備えた構成が開示されている。
【０００３】
また、特許文献２には、軸筒の前端部に摩擦部を設け、軸筒の前部外面に弾性材料よりなる把持部を設けた構成が開示されている。
【先行技術文献】
【特許文献】
【０００４】
【特許文献１】特開２００７−２２３３０２号
【特許文献２】特開２０１１−２２４８６０号
【発明の概要】
【発明が解決しようとする課題】
【０００５】
前記特許文献１は、摩擦体を用いて摩擦変色させる際、キャップや軸胴を把持する指が滑ることがあり、その場合、安定した摩擦操作がなしえないおそれがある。特に、把持する箇所が比較的小さい外径（例えば１０ｍｍ以下）である場合、または、把持する箇所が摩擦体方向に向かって先細状である場合、指が滑りやすく、安定した摩擦操作できず、熱変色が困難となるおそれがある。また、前記特許文献１は、キャップの頂部の摩擦体を用いて摩擦操作する際、キャップを軸胴から分離してキャップ単体で摩擦操作をする場合、キャップ外面の把持が不安定となり、安定した摩擦操作ができないおそれがある。
【０００６】
前記特許文献２は、筆記時と摩擦操作時に把持部を把持するため、頻繁に指が把持部に接触し、把持部が指油の付着等により早期に滑り止め機能を低下させやすく、特に、筆記使用時よりも強い力が紙面に加わりがちな摩擦操作時において、安定した把持が得られないおそれがある。
【０００７】
本発明は前記従来の問題点を解決するものであって、摩擦操作時に安定して把持でき、熱変色作業が容易となる熱変色性筆記具を提供しようとするものである。
尚、本発明の軸筒において、「前」とはペン先側を指し、「後」とはその反対側を指す。本発明のキャップにおいて、「前」とは摩擦体側を指し、「後」とはその反対側を指す。
【課題を解決するための手段】
【０００８】
本願の第１の発明は、軸筒２の内部に熱変色性インキを収容し、前記軸筒２の前端に前記熱変色性インキが吐出可能なペン先２１を設け、前記軸筒２の後端部に、前記熱変色性インキの筆跡を摩擦しその際に生じる摩擦熱で前記熱変色性インキの筆跡を熱変色可能な摩擦部４を設けた熱変色性筆記具であって、前記軸筒２の摩擦部４近傍外面に摩擦操作時に把持可能な滑り止め把持部５を設けたことを要件とする。（図１乃至図４、図５乃至図１１参照）
【０００９】
前記第１の発明の熱変色性筆記具1は、前記軸筒２の摩擦部４近傍外面に摩擦操作時に把持可能な滑り止め把持部５を設けたこと（即ち、摩擦部４専用の滑り止め把持部５を設けたこと）により、摩擦操作時、滑り止め把持部５を把持することによって、安定して把持でき、熱変色作業が容易となる。特に、前記第１の発明の熱変色性筆記具1は、摩擦操作時のみ滑り止め把持部５を把持するため、滑り止め把持部５の滑り止め機能が長期にわたり維持できる。
【００１０】
本願の第２の発明は、前記第１の発明の熱変色性筆記具において、前記滑り止め把持部５が前後方向に分散配置される複数の凹部５１または複数の凸部５１を備えることを要件とする。
【００１１】
前記第２の発明の熱変色性筆記具1は、前記滑り止め把持部５が前後方向に分散配置される複数の凹部５１または複数の凸部５１を備えることにより、安定した把持が確実に得られる。
前記滑り止め把持部５を構成する複数の凹部５１及び複数の凸部５１の外形状は、例えば、点状、線状（具体的には、環状、らせん状、点線状、格子状、網目状、ハニカム状等）が挙げられる。
【００１２】
本願の第３の発明は、前記第１または第２の発明の熱変色性筆記具において、前記滑り止め把持部５が弾性材料よりなることを要件とする。
【００１３】
前記第３の発明の熱変色性筆記具1は、前記滑り止め把持部５が弾性材料よりなることにより、安定した把持が確実に得られる。
前記滑り止め把持部５を構成する弾性材料としては、シリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具の把持部用材料として一般的に知られている弾性材料のなかから適宜選定すればよく、内側把持部と外側把持部を同種又は異種で形成してあってもよい。前記滑り止め把持部５は、２色成形等による軸筒２との一体成形によって設けられたり、または軸筒２外面に取り付けられる別部材によって設けられる。
【００１４】
本願の第４の発明は、前記第１、第２または第３の発明の熱変色性筆記具において、前記滑り止め把持部５の外面に前後方向にわたり窪み部５２が形成されることを要件とする。
【００１５】
前記第４の発明の熱変色性筆記具1は、前記滑り止め把持部５の外面に前後方向にわたり窪み部５２が形成されることにより、安定した把持が確実に得られる。前記窪み部５２は、軸筒２外面に、周方向全体に環状に形成される構成、または、周方向に部分的に形成される構成（例えば、周方向の１か所に部分的に形成される構成、もしくは周方向の複数箇所に分散配置される構成）が挙げられる。
【００１６】
本願の第５の発明は、熱変色性インキを内蔵した筆記体が前後方向に移動可能に軸筒２内に収容され、前記筆記体の前端に前記熱変色性インキが吐出可能なペン先２１を備え、前記軸筒２の後端近傍の側壁外面に操作部２２が径方向外方に突出され、前記操作部２２が前後方向に移動可能に設けられ、前記操作部２２を前方に押圧操作することにより前記軸筒２前端より筆記体のペン先２１が出没自在に構成され、前記軸筒２の後端部に、前記熱変色性インキの筆跡を摩擦しその際に生じる摩擦熱で前記熱変色性インキの筆跡を熱変色可能な摩擦部４を設けた熱変色性筆記具であって、前記軸筒２外面の、操作部２２を径方向に跨ぐ位置に、摩擦操作時に把持可能な滑り止め把持部５を設けたことを特徴とする熱変色性筆記具。
（図５乃至図１１参照）
【００１７】
前記第５の発明の熱変色性筆記具は、前記軸筒２外面の、操作部２２を径方向に跨ぐ位置に、摩擦操作時に把持可能な滑り止め把持部５を設けたこと（即ち、摩擦部４専用の滑り止め把持部５を設けたこと）により、摩擦操作時、滑り止め把持部５を把持することによって、安定して把持でき、熱変色作業が容易となる。特に、前記第５の発明の熱変色性筆記具1は、摩擦操作時のみ滑り止め把持部５を把持するため、滑り止め把持部５の滑り止め機能が長期にわたり維持できる。
【００１８】
本願の第６の発明は、前記第５の発明の熱変色性筆記具において、前記滑り止め把持部５が前後方向に分散配置される複数の凹部５１または複数の凸部５１を備えることを要件とする。
【００１９】
前記第６の発明の熱変色性筆記具1は、前記滑り止め把持部５が前後方向に分散配置される複数の凹部５１または複数の凸部５１を備えることにより、安定した把持が確実に得られる。
前記滑り止め把持部５を構成する複数の凹部５１及び複数の凸部５１の外形状は、例えば、点状、線状（具体的には、環状、らせん状、点線状、格子状、網目状、ハニカム状等）が挙げられる。
【００２０】
本願の第７の発明は、前記第５または第６の発明の熱変色性筆記具において、前記滑り止め把持部５が弾性材料よりなることを要件とする。
【００２１】
前記第７の発明の熱変色性筆記具1は、前記滑り止め把持部５が弾性材料よりなることにより、安定した把持が確実に得られる。
前記滑り止め把持部５を構成する弾性材料としては、シリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具の把持部用材料として一般的に知られている弾性材料のなかから適宜選定すればよく、内側把持部と外側把持部を同種又は異種で形成してあってもよい。前記滑り止め把持部５は、２色成形等による軸筒２との一体成形によって設けられたり、または軸筒２外面に取り付けられる別部材によって設けられる。
【００２２】
本願の第８の発明は、前記第５、第６または第７の発明の熱変色性筆記具において、前記滑り止め把持部５の外面に前後方向にわたり窪み部５２が形成されることを要件とする。
【００２３】
前記第８の発明の熱変色性筆記具1は、前記滑り止め把持部５の外面に前後方向にわたり窪み部５２が形成されることにより、安定した把持が確実に得られる。前記、前記窪み部５２は、軸筒２外面に、周方向全体に環状に形成される構成、または、周方向に部分的に形成される構成（例えば、周方向の１か所に部分的に形成される構成、もしくは周方向に複数箇所に分散配置される構成）が挙げられる。
【００２４】
本願の第９の発明は、軸筒２の内部に熱変色性インキを収容し、前記軸筒２の前端に前記熱変色性インキが吐出可能なペン先２１を設け、前記軸筒２のペン先側に着脱自在に装着可能なキャップ３を備え、前記キャップ３の頂部（キャップの前端部）に、前記熱変色性インキの筆跡を摩擦しその際に生じる摩擦熱で前記熱変色性インキの筆跡を熱変色可能な摩擦部４を設けた熱変色性筆記具であって、前記キャップ３の摩擦部４近傍外面に摩擦操作時に把持可能な滑り止め把持部５を設けたことを要件とする。（図１２乃至図１７参照）
【００２５】
本願の第９の発明の熱変色性筆記具1は、前記キャップ３の摩擦部４近傍外面に摩擦操作時に把持可能な滑り止め把持部５を設けたことにより、摩擦操作時、滑り止め把持部５を把持することによって、キャップ単体でも安定して把持でき、熱変色作業が容易となる。また、前記第９の発明の熱変色性筆記具1は、キャップ３の着脱操作時に滑り止め把持部５を把持でき、キャップ３の着脱操作が容易となる。
【００２６】
本願の第１０の発明は、前記第９の発明の熱変色性筆記具において、前記滑り止め把持部５が前後方向に分散配置される複数の凹部５１または複数の凸部５１を備えることを要件とする。
【００２７】
前記第１０の発明の熱変色性筆記具1は、前記滑り止め把持部５が前後方向に分散配置される複数の凹部５１または複数の凸部５１を備えることにより、安定した把持が確実に得られる。前記滑り止め把持部５を構成する複数の凹部５１及び複数の凸部５１の外形状は、例えば、点状、線状（具体的には、環状、らせん状、点線状、格子状、網目状、ハニカム状等）が挙げられる。
【００２８】
本願の第１１の発明は、前記第９または第１０の発明の熱変色性筆記具において、前記滑り止め把持部５が弾性材料よりなることを要件とする。
【００２９】
前記第１１の発明の熱変色性筆記具1は、前記滑り止め把持部５が弾性材料よりなることにより、安定した把持が確実に得られる。
前記滑り止め把持部５を構成する弾性材料としては、前記弾性材料としては、ゴム弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具の把持部用材料として一般的に知られている弾性材料のなかから適宜選定すればよく、内側把持部と外側把持部を同種又は異種で形成してあってもよい。前記滑り止め把持部５は、２色成形等によるキャップ３との一体成形によって設けられたり、またはキャップ３外面に取り付けられる別部材によって設けられる。
【００３０】
本願の第１２の発明は、前記第９、第１０、または第１１の熱変色性筆記具において、前記滑り止め把持部５の外面に前後方向にわたり窪み部５２が形成されることを要件とする。
【００３１】
前記第１２の発明の熱変色性筆記具1は、前記滑り止め把持部５の外面に前後方向にわたり窪み部５２が形成されることにより、安定した把持が確実に得られる。前記窪み部５２は、キャップ３外面に、周方向全体に環状に形成される構成、または、周方向に部分的に形成される構成（例えば、周方向の１か所に部分的に形成される構成、もしくは周方向の複数箇所に分散配置される構成）が挙げられる。
【００３２】
・摩擦部の材料
本発明において、前記摩擦部４は、例えば、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられ、特に、高摩耗性の弾性材料（例えば、消しゴム等）からなるものよりも、摩擦時に摩耗屑が生じない低摩耗性の弾性材料からなることが好ましい。前記摩擦部４は、前記滑り止め把持部５と異なる材料で形成することが好ましい。それにより、摩擦部４の適正な摩擦変色機能と、滑り止め把持部５の適正な滑り止め機能とを容易に得ることができる。
【００３３】
・軸筒及びキャップの材料
本発明において、前記軸筒及び前記キャップを構成する材料は、滑り止め把持部５の弾性材料に比べて硬質な材料であって、例えば、ポリプロピレン、ポリエチレン、ポリカーボネート、ポリエチレンテレフタレート、ポリアセタール、アクリル、ナイロン、アクリルニトリル・スチレン共重合樹脂（ＡＳ樹脂）、アクリルニトリル・ブタジエン・スチレン共重合樹脂（ＡＢＳ樹脂）等の合成樹脂、またはステンレス鋼、アルミニウム合金、黄銅等の金属が挙げられる。
【００３４】
本発明の軸筒及びキャップの滑り止め把持部５は、摩擦部側に向かうに従い外径が次第に小さくなる先細状であることが好ましい。それにより、適正な滑り止め機能を有するとともに、スマートな外観を維持できる。
【００３５】
本発明の軸筒及びキャップの滑り止め把持部５は、外径が１０ｍｍ以下の小さい外径であることが好ましい。それにより、適正な滑り止め機能を有するとともに、スマートな外観を維持できる。
【００３６】
・熱変色性インキ
本発明における熱変色性インキは、熱変色性マイクロカプセル顔料を用いたものであり、（イ）電子供与性呈色性有機化合物、（ロ）電子受容性化合物、（ハ）前記両者の呈色反応の生起温度を決める反応媒体からなる可逆熱変色性組成物を内包させた可逆熱変色性マイクロカプセル顔料を含む水性インキ組成物が採用される。前記熱変色性インキは、加熱により消色するタイプ、または加熱により発色するタイプが挙げられる。
さらに、前記可逆熱変色性マイクロカプセル顔料中、或いはインキ中には、非熱変色性の染料、顔料等の着色剤を配合して、有色（１）から有色（２）への互変的色変化を呈する構成とすることもできる。前記染料としては、酸性染料、塩基性染料、直接染料、蛍光染料が全て使用可能である。また、顔料としては、カーボンブラック、群青、二酸化チタン顔料等の無機顔料、アゾ系顔料、フタロシアニン系顔料、インジゴ顔料、チオインジゴ顔料、スレン顔料、キナクリドン系顔料、アントラキノン系顔料、スロン系顔料、ジケトピロロピロール系顔料、ジオキサジン系顔料、ペリレン系顔料、ペリノン系顔料、イソインドリノン系顔料等の有機顔料や蛍光顔料を例示できる。
【００３７】
・ペン先
本発明におけるペン先２１は、前端に回転可能にボールが抱持されたボールペンチップ、多孔質ペン体（例えば、繊維加工体、連続気泡発泡体）または軸方向のインキ誘導路を有する合成樹脂押出成形体よりなるペン体、または毛筆ペン先等が挙げられる。
【発明の効果】
【００３８】
本発明の熱変色性筆記具は、摩擦操作時に安定して把持でき、熱変色作業が容易となる。
【図面の簡単な説明】
【００３９】
【図１】本発明の第１の実施の形態の正面図である。
【図２】本発明の第２の実施の形態の正面図である。
【図３】本発明の第３の実施の形態の正面図である。
【図４】本発明の第４の実施の形態の正面図である。
【図５】本発明の第５の実施の形態の正面図である。
【図６】図５の側面図である。
【図７】本発明の第６の実施の形態の正面図である。
【図８】図７の側面図である。
【図９】本発明の第７の実施の形態の正面図である。
【図１０】図９の側面図である。
【図１１】本発明の第８の実施の形態の側面図である。
【図１２】本発明の第９の実施の形態の正面図である。
【図１３】図１２のキャップが装着可能な軸筒の正面図である。
【図１４】本発明の第１０の実施の形態の正面図である。
【図１５】本発明の第１１の実施の形態の正面図である。
【図１６】図１５のキャップが装着可能な軸筒の正面図である。
【図１７】本発明の第１２の実施の形態の正面図である。
【発明を実施するための形態】
【００４０】
＜第１の実施の形態＞
本発明の第１の実施の形態を図１に示す。
本実施の形態の熱変色性筆記具1は、内部に熱変色性インキが収容された軸筒２と、該軸筒２の前端に設けられたペン先２１と、軸筒２の後端に設けられた摩擦部４とを備える。ペン先２１から、軸筒２内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００４１】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００４２】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の環状の凹部５１または複数の環状の凸部５１を備える。
前記滑り止め把持部５（複数の環状の凹部５１または複数の環状の凸部５１、及び軸筒２の摩擦部４近傍の側壁外面）は、弾性材料（例えば、合成ゴム、熱可塑性エラストマー等）から形成される。前記滑り止め把持部５は、外形状が後方に向かうに従って外径が小さくなる先細状（具体的にはテーパ状）に形成される。前記滑り止め把持部５を構成する弾性材料と、前記摩擦部４を構成する弾性材料とは異なるものが採用される。
【００４３】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備え、且つ、滑り止め把持部５が弾性材料よりなることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
【００４４】
＜第２の実施の形態＞
本発明の第２の実施の形態を図２に示す。
本実施の形態の熱変色性筆記具1は、内部に熱変色性インキが収容された軸筒２と、該軸筒２の前端に設けられたペン先２１と、軸筒２の後端に設けられた摩擦部４とを備える。ペン先２１から、軸筒２内部の熱変色性インキが吐出可能である。前記熱変色性インキは、摩擦部４による摩擦熱により有色から異なる有色（例えば黒色から青色）に変化するもの、または、有色（例えば青色）から無色に変化するものが挙げられる。
【００４５】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００４６】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の点状の凹部５１または複数の点状の凸部５１を備える。
前記滑り止め把持部５（複数の点状の凹部５１または複数の点状の凸部５１、及び軸筒２の摩擦部４近傍の側壁外面）は、弾性材料（例えば、合成ゴム、熱可塑性エラストマー等）から形成される。前記滑り止め把持部５は、外形状が後方に向かうに従って外径が小さくなる先細状（具体的にはテーパ状）に形成される。前記滑り止め把持部５を構成する弾性材料と、前記摩擦部４を構成する弾性材料とは異なるものが採用される。
【００４７】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備え、且つ、滑り止め把持部５が弾性材料よりなることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
【００４８】
＜第３の実施の形態＞
本発明の第３の実施の形態を図３に示す。
本実施の形態の熱変色性筆記具1は、内部に熱変色性インキが収容された軸筒２と、該軸筒２の前端に設けられたペン先２１と、軸筒２の後端に設けられた摩擦部４とを備える。ペン先２１から、軸筒２内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００４９】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００５０】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の環状の凹部５１または複数の環状の凸部５１を備える。
前記滑り止め把持部５（複数の環状の凹部５１または複数の環状の凸部５１、及び軸筒２の摩擦部４近傍の側壁外面）は、弾性材料（例えば、合成ゴム、熱可塑性エラストマー等）からなる。前記滑り止め把持部５を構成する弾性材料と、前記摩擦部４を構成する弾性材料とは異なるものが採用される。
【００５１】
前記滑り止め把持部５は、外形状が、前端部から後方に向かうに従って外径が小さくなる先細状に形成されるとともに後端部が前方に向かってわずかに拡径された形状を備える。即ち、前記滑り止め把持部５は、その外面に前後方向にわたり環状に窪み部５２が形成される。前記窪み部５２に、複数の環状の凹部５１または複数の環状の凸部５１が形成される。前記窪み部５２が弾性材料からなる。
【００５２】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備えるとともに、滑り止め把持部５が弾性材料よりなり、しかも、滑り止め把持部５の外面に前後方向にわたり窪み部５２が形成されることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
【００５３】
＜第４の実施の形態＞
本発明の第４の実施の形態を図４に示す。
本実施の形態の熱変色性筆記具1は、内部に熱変色性インキが収容された軸筒２と、該軸筒２の前端に設けられたペン先２１と、軸筒２の後端に設けられた摩擦部４とを備える。ペン先２１から、軸筒２内部の熱変色性インキが吐出可能である。前記熱変色性インキは、摩擦部４による摩擦熱により有色から異なる有色（例えば黒色から青色）に変化するもの、または、有色（例えば青色）から無色に変化するものが挙げられる。
【００５４】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００５５】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の点状の凹部５１または複数の点状の凸部５１を備える。前記滑り止め把持部５（複数の点状の凹部５１または複数の点状の凸部５１、及び軸筒２の摩擦部４近傍の側壁外面）は、弾性材料（例えば、合成ゴム、熱可塑性エラストマー等）からなる。
【００５６】
前記滑り止め把持部５は、外形状が、前端部から後方に向かうに従って外径が小さくなる先細状に形成されるとともに後端部が前方に向かってわずかに拡径された形状を備える。即ち、前記滑り止め把持部５は、その外面に前後方向にわたり窪み部５２が形成される。前記窪み部５２に、複数の環状の凹部５１または複数の環状の凸部５１が形成される。前記窪み部５２が弾性材料からなる。前記滑り止め把持部５を構成する弾性材料と、前記摩擦部４を構成する弾性材料とは異なるものが採用される。
【００５７】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備えるとともに、滑り止め把持部５が弾性材料よりなり、しかも、滑り止め把持部５の外面に前後方向にわたり窪み部５２が形成されることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
【００５８】
＜第５の実施の形態＞
本発明の第５の実施の形態を図５及び図６に示す（２点鎖線はペン先突出状態のクリップとペン先２１を示す）。
本実施の形態の熱変色性筆記具1は、熱変色性インキを内蔵した筆記体が前後方向に移動可能に軸筒２内に収容され、軸筒２の後端近傍外面に径方向外方に突出された操作部２２を備え、前記操作部２２が前後方向に移動可能に設けられ、前記操作部２２を前方に押圧操作することによりペン先２１を出没自在に構成された出没式の熱変色性筆記具1である。前記操作部２２は、ポケット等の被挟持物を挟持可能なクリップを兼ねる。前記軸筒２の後端に摩擦部４が設けられる。
前記ペン先２１から、筆記体内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００５９】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００６０】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の環状の凹部５１または複数の環状の凸部５１を備える。
前記滑り止め把持部５（複数の環状の凹部５１または複数の環状の凸部５１、及び軸筒２の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。前記滑り止め把持部５は、外形状が略ストレートの円筒状に形成される。前記滑り止め把持部５は、軸筒２外面の操作部（クリップ）を除く位置に周方向に形成される。即ち、前記滑り止め把持部５が軸筒２外面の操作部２２（クリップ）を径方向に跨ぐ位置（即ち操作部２２を軸線回りに９０度回転させた位置の両側）に形成される。
【００６１】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備え、且つ、滑り止め把持部５が弾性材料よりなることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
本実施の形態の熱変色性筆記具1は、滑り止め把持部５が軸筒２外面の操作部（クリップ）を径方向に跨ぐ位置に形成されることにより、摩擦操作時、軸筒２外面の操作部側壁近傍を安定して把持できる。
【００６２】
＜第６の実施の形態＞
本発明の第６の実施の形態を図７及び図８に示す（２点鎖線はペン先突出状態のクリップとペン先２１を示す）。
本実施の形態の熱変色性筆記具1は、熱変色性インキを内蔵した筆記体が前後方向に移動可能に軸筒２内に収容され、軸筒２の後端近傍外面に径方向外方に突出された操作部２２を備え、前記操作部２２が前後方向に移動可能に設けられ、前記操作部２２を前方に押圧操作することによりペン先２１を出没自在に構成された出没式の熱変色性筆記具1である。前記操作部２２は、ポケット等の被挟持物を挟持可能なクリップを兼ねる。前記軸筒２の後端に摩擦部４が設けられる。
前記ペン先２１から、筆記体内部の熱変色性インキが吐出可能である。
ペン先２１から、筆記体内部の熱変色性インキが吐出可能である。前記熱変色性インキは、摩擦部４による摩擦熱により有色から異なる有色（例えば黒色から青色）に変化するもの、または、有色（例えば青色）から無色に変化するものが挙げられる。
【００６３】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００６４】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の点状の凹部５１または複数の点状の凸部５１を備える。
前記滑り止め把持部５（複数の点状の凹部５１または複数の点状の凸部５１、及び軸筒２の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。前記滑り止め把持部５は、外形状が略ストレートの円筒状に形成される。前記滑り止め把持部５は、軸筒２外面の操作部（クリップ）を除く位置に周方向に形成される。即ち、前記滑り止め把持部５が軸筒２外面の操作部２２（クリップ）を径方向に跨ぐ位置（即ち操作部２２を軸線回りに９０度回転させた位置の両側）に形成される。
【００６５】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備え、且つ、滑り止め把持部５が弾性材料よりなることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
本実施の形態の熱変色性筆記具1は、滑り止め把持部５が軸筒２外面の操作部（クリップ）を径方向に跨ぐ位置に形成されることにより、摩擦操作時、軸筒２外面の操作部側壁近傍を安定して把持できる。
【００６６】
＜第７の実施の形態＞
本発明の第７の実施の形態を図９及び図１０に示す（２点鎖線はペン先突出状態のクリップとペン先２１を示す）。
本実施の形態の熱変色性筆記具1は、熱変色性インキを内蔵した筆記体が前後方向に移動可能に軸筒２内に収容され、軸筒２の後端近傍外面に径方向外方に突出された操作部２２を備え、前記操作部２２が前後方向に移動可能に設けられ、前記操作部２２を前方に押圧操作することによりペン先２１を出没自在に構成された出没式の熱変色性筆記具1である。前記操作部２２は、ポケット等の被挟持物を挟持可能なクリップを兼ねる。前記軸筒２の後端に摩擦部４が設けられる。
ペン先２１から、筆記体内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００６７】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００６８】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される、周方向に延設される複数の線状の凹部５１または複数の線状の凸部５１を備える。前記滑り止め把持部５（複数の線状の凹部５１または複数の線状の凸部５１、及び軸筒２の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。
前記滑り止め把持部５は、その外面に前後方向にわたり窪み部５２が形成される。前記窪み部５２に、複数の環状の凹部５１または複数の環状の凸部５１が形成される。前記窪み部５２が弾性材料からなる。
前記滑り止め把持部５（窪み部５２）は、軸筒２外面の操作部２２（クリップ）を径方向に跨ぐ位置（即ち操作部２２を軸線回りに９０度回転させた位置の両側）に形成される。
【００６９】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部５１を備え、且つ、滑り止め把持部５が弾性材料よりなり、しかも、滑り止め把持部５の外面に前後方向にわたり窪み部５２が形成されることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
本実施の形態の熱変色性筆記具1は、滑り止め把持部５（窪み部５２）が軸筒２外面の操作部（クリップ）を径方向に跨ぐ位置に形成されることにより、摩擦操作時、軸筒２外面の操作部側壁近傍を安定して把持できる。
【００７０】
＜第８の実施の形態＞
本発明の第８の実施の形態を図１１に示す（２点鎖線はペン先突出状態のクリップとペン先２１を示す）。尚、正面図は図９と共通である。
本実施の形態の熱変色性筆記具1は、熱変色性インキを内蔵した筆記体が前後方向に移動可能に軸筒２内に収容され、軸筒２の後端近傍外面に径方向外方に突出された操作部２２を備え、前記操作部２２が前後方向に移動可能に設けられ、前記操作部２２を前方に押圧操作することによりペン先２１を出没自在に構成された出没式の熱変色性筆記具1である。前記操作部２２は、ポケット等の被挟持物を挟持可能なクリップを兼ねる。前記軸筒２の後端に摩擦部４が設けられる。
ペン先２１から、筆記体内部の熱変色性インキが吐出可能である。前記熱変色性インキは、摩擦部４による摩擦熱により有色から異なる有色（例えば黒色から青色）に変化するもの、または、有色（例えば青色）から無色に変化するものが挙げられる。
【００７１】
・摩擦部
摩擦部４は軸筒２後端に圧入嵌合または２色成形により固定される。
摩擦部４は、弾性材料よりなり、後端に向かうに従い外径が小さくなる先細円柱状の側面と、凸曲面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００７２】
・滑り止め把持部
軸筒２の摩擦部４近傍の側壁外面（軸筒２の後端部近傍の側壁外面）に、滑り止め把持部５が形成される。前記滑り止め把持部５は、前後方向に分散配置される複数の点状の凹部５１または複数の点状の凸部５１を備える。前記滑り止め把持部５（複数の点状の凹部５１または複数の点状の凸部５１、及び軸筒２の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。
前記滑り止め把持部５は、その外面に前後方向にわたり窪み部５２が形成される。前記窪み部５２に、複数の点状の凹部５１または複数の点状の凸部５１が形成される。前記窪み部５２が弾性材料からなる。
前記滑り止め把持部５（窪み部５２）は、軸筒２外面の操作部２２（クリップ）を径方向に跨ぐ位置（即ち操作部２２を軸線回りに９０度回転させた位置の両側）に形成される。
【００７３】
本実施の形態の熱変色性筆記具1は、軸筒２の摩擦部４近傍外面に摩擦操作時に把持可能な滑り止め把持部５を設け、滑り止め把持部５が前後方向に分散配置される複数の凹部５１または複数の凸部を備え、且つ、滑り止め把持部５が弾性材料よりなることにより、しかも、滑り止め把持部５の外面に前後方向にわたり窪み部５２が形成されることにより、摩擦操作時、滑り止め把持部５を把持することによって、安定して把持でき、熱変色作業が容易となる。特に、本実施の形態の熱変色性筆記具1は、摩擦操作時のみ滑り止め把持部５を把持するため、滑り止め把持部５の滑り止め機能が長期にわたり維持できる。
本実施の形態の熱変色性筆記具1は、滑り止め把持部５（窪み部５２）が軸筒２外面の操作部（クリップ）を径方向に跨ぐ位置に形成されることにより、摩擦操作時、軸筒２外面の操作部側壁近傍を安定して把持できる。
【００７４】
＜第９の実施の形態＞
本発明の第９の実施の形態を図１２及び図１３に示す。図１３の二点鎖線はキャップ装着状態を示す。
本実施の形態の熱変色性筆記具1は、内部に熱変色性インキが収容された軸筒２と、該軸筒２の前端に設けられたペン先２１と、軸筒２のペン先側外面に着脱自在に装着可能なキャップ３と、該キャップ３の頂部（キャップの前端部）に設けられた摩擦部４とを備える。ペン先２１から、軸筒２内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００７５】
・摩擦部
摩擦部４はキャップ３の前端に圧入嵌合または２色成形により固定される。
摩擦部４は、弾性材料よりなり、前端に向かうに従い外径が小さくなる先細円柱状の側面と、平面状の前端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００７６】
・滑り止め把持部
キャップ３の摩擦部４近傍の側壁外面（キャップ３の前端部近傍の側壁外面）に、滑り止め把持部５が形成される。前記滑り止め把持部５は、前後方向に分散配置される複数の環状の凹部５１または複数の環状の凸部５１を備える。
前記滑り止め把持部５（複数の環状の凹部５１または複数の環状の凸部５１、及びキャップ３の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。前記滑り止め把持部５は、外形状が前方に向かうに従って外径が小さくなる先細状（具体的にはテーパ状）に形成される。
【００７７】
本実施の形態の熱変色性筆記具1は、キャップ３の摩擦部４近傍外面に摩擦操作時に把持可能な滑り止め把持部５を設け、滑り止め把持部５が前後方向に分散配置される複数の凹部５１または複数の凸部５１よりなり、且つ、滑り止め把持部５が弾性材料よりなることにより、摩擦操作時、滑り止め把持部５を把持することによって、キャップ３単体でも安定して把持でき、熱変色作業が容易となる。
特に、本実施の形態の熱変色性筆記具1は、キャップ着脱操作時に滑り止め把持部５を把持でき、キャップ３の着脱が容易となる。
【００７８】
＜第１０の実施の形態＞
本発明の第１０の実施の形態を図１４に示す。本実施の形態の軸筒２は、図１３と共通である。
本実施の形態の熱変色性筆記具1は、内部に熱変色性インキが収容された軸筒２と、該軸筒２の前端に設けられたペン先２１と、軸筒２のペン先側外面に着脱自在に装着可能なキャップ３と、該キャップ３の頂部（キャップの前端部）に設けられた摩擦部４とを備える。ペン先２１から、軸筒２内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００７９】
・摩擦部
摩擦部４はキャップ３の前端に圧入嵌合または２色成形により固定される。
摩擦部４は、弾性材料よりなり、前端に向かうに従い外径が小さくなる先細円柱状の側面と、平面状の前端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００８０】
・滑り止め把持部
キャップ３の摩擦部４近傍の側壁外面（キャップ３の前端部近傍の側壁外面）に、滑り止め把持部５が形成される。前記滑り止め把持部５は、前後方向に分散配置される複数の点状の凹部５１または複数の点状の凸部５１を備える。
前記滑り止め把持部５（複数の点状の凹部５１または複数の点状の凸部５１、及びキャップ３の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。前記滑り止め把持部５は、外形状が前方に向かうに従って外径が小さくなる先細状（具体的にはテーパ状）に形成される。
【００８１】
本実施の形態の熱変色性筆記具1は、キャップ３の摩擦部４近傍外面に摩擦操作時に把持可能な滑り止め把持部５を設け、滑り止め把持部５が前後方向に分散配置される複数の凹部５１または複数の凸部５１よりなり、且つ、滑り止め把持部５が弾性材料よりなることにより、摩擦操作時、滑り止め把持部５を把持することによって、キャップ単体でも安定して把持でき、熱変色作業が容易となる。
特に、本実施の形態の熱変色性筆記具1は、キャップ着脱操作時に滑り止め把持部５を把持でき、キャップ３の着脱が容易となる。
【００８２】
＜第１１の実施の形態＞
本発明の第１１の実施の形態を図１５及び図１６に示す。図１６の二点鎖線はキャップ装着状態を示す。
本実施の形態の熱変色性筆記具1は、内部に熱変色性インキが収容された軸筒２と、該軸筒２の前端に設けられたペン先２１と、軸筒２のペン先側外面に着脱自在に装着可能なキャップ３と、該キャップ３の頂部（キャップの前端部）に設けられた摩擦部４とを備える。ペン先２１から、軸筒２内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００８３】
・摩擦部
摩擦部４はキャップ３の前端に圧入嵌合または２色成形により固定される。
摩擦部４は、弾性材料よりなり、前端に向かうに従い外径が小さくなる先細円柱状の側面と、平面状の後端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００８４】
・滑り止め把持部
キャップ３の摩擦部４近傍の側壁外面（キャップ３の前端部近傍の側壁外面）に、滑り止め把持部５が形成される。前記滑り止め把持部５は、前後方向に分散配置される複数の環状の凹部５１または複数の環状の凸部５１を備える。
前記滑り止め把持部５（複数の環状の凹部５１または複数の環状の凸部５１、及びキャップ３の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。
前記滑り止め把持部５は、外形状が、後端部から前方に向かうに従って外径が小さくなる先細状に形成されるとともに前端部が前方に向かってわずかに拡径された形状を備える。即ち、前記滑り止め把持部５は、その外面に前後方向にわたり窪み部５２が形成される。前記窪み部５２に、複数の環状の凹部５１または複数の環状の凸部５１が形成される。前記窪み部５２が弾性材料からなる
【００８５】
本実施の形態の熱変色性筆記具1は、キャップ３の摩擦部４近傍外面に摩擦操作時に把持可能な滑り止め把持部５を設け、滑り止め把持部５が前後方向に分散配置される複数の凹部５１または複数の凸部５１よりなるとともに、滑り止め把持部５が弾性材料よりなり、しかも、滑り止め把持部５の外面に前後方向にわたり窪み部５２が形成されることにより、摩擦操作時、滑り止め把持部５を把持することによって、安定して把持でき、熱変色作業が容易となる。
特に、本実施の形態の熱変色性筆記具1は、キャップ着脱操作時に滑り止め把持部５を把持でき、キャップ３の着脱が容易となる。
【００８６】
＜第１２の実施の形態＞
本発明の第１２の実施の形態を図１２に示す。本実施の形態の軸筒２は図１６と共通である。
本実施の形態の熱変色性筆記具1は、内部に熱変色性インキが収容された軸筒２と、該軸筒２の前端に設けられたペン先２１と、軸筒２のペン先側外面に着脱自在に装着可能なキャップ３と、該キャップ３の頂部（キャップの前端部）に設けられた摩擦部４とを備える。ペン先２１から、軸筒２内部の熱変色性インキが吐出可能である。前記熱変色性インキは、摩擦部４による摩擦熱により有色から異なる有色（例えば黒色からピンク色）に変化するもの、または、有色（例えば黒色）から無色に変化するものが挙げられる。
【００８７】
・摩擦部
摩擦部４はキャップ３の前端に圧入嵌合または２色成形により固定される。
摩擦部４は、弾性材料よりなり、前端に向かうに従い外径が小さくなる先細円柱状の側面と、平面状の前端面とから構成される。前記摩擦部４の材料は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）が採用される。前記摩擦部４により、ペン先２１により紙面上に形成された熱変色性インキの筆跡を摩擦してその際の発生する摩擦熱で前記熱変色性インキの筆跡を熱変色させることができる。
【００８８】
・滑り止め把持部
キャップ３の摩擦部４近傍の側壁外面（キャップ３の前端部近傍の側壁外面）に、滑り止め把持部５が形成される。前記滑り止め把持部５は、前後方向に分散配置される複数の点状の凹部５１または複数の点状の凸部５１を備える。
前記滑り止め把持部５（複数の点状の凹部５１または複数の点状の凸部５１、及びキャップ３の摩擦部４近傍の側壁外面）は、弾性材料（例えば、合成ゴム、熱可塑性エラストマー等）から形成される。前記滑り止め把持部５を構成する弾性材料と、前記摩擦部４を構成する弾性材料とは異なるものが採用される。
前記滑り止め把持部５は、外形状が、後端部から前方に向かうに従って外径が小さくなる先細状に形成されるとともに前端部が前方に向かってわずかに拡径された形状を備える。即ち、前記滑り止め把持部５は、その外面に前後方向にわたり窪み部５２が形成される。前記窪み部５２に、複数の環状の凹部５１または複数の環状の凸部５１が形成される。前記窪み部５２が弾性材料からなる
【００８９】
本実施の形態の熱変色性筆記具1は、キャップ３の摩擦部４近傍外面に摩擦操作時に把持可能な滑り止め把持部５を設け、滑り止め把持部５が前後方向に分散配置される複数の凹部５１または複数の凸部５１よりなるとともに、滑り止め把持部５が弾性材料よりなり、しかも、滑り止め把持部５の外面に前後方向にわたり窪み部５２が形成されることにより、摩擦操作時、滑り止め把持部５を把持することによって、キャップ単体でも安定して把持でき、熱変色作業が容易となる。
特に、本実施の形態の熱変色性筆記具1は、キャップ着脱操作時に滑り止め把持部５を把持でき、キャップ３の着脱が容易となる。
【符号の説明】
【００９０】
１  熱変色性筆記具
２  軸筒
２１  ペン先
２２  操作部（クリップ）
３  キャップ
４  摩擦部
５  滑り止め把持部
５１  凹部または凸部
５２  窪み部
【図１】
2020001193.tif 000003
【図２】
2020001193.tif 000004
【図３】
2020001193.tif 000005
【図４】
2020001193.tif 000006
【図５】
2020001193.tif 000007
【図６】
2020001193.tif 000008
【図７】
2020001193.tif 000009
【図８】
2020001193.tif 000010
【図９】
2020001193.tif 000011
【図１０】
2020001193.tif 000012
【図１１】
2020001193.tif 000013
【図１２】
2020001193.tif 000014
【図１３】
2020001193.tif 000015
【図１４】
2020001193.tif 000016
【図１５】
2020001193.tif 000017
【図１６】
2020001193.tif 000018
【図１７】
2020001193.tif 000019